(57)【要約】【課題】虫歯の治療で嫌なドリルの音を聞く事も無く、わずかな時間で治療が出来、骨の手術や治療をする時にメスなどを使わず、カルシュームを溶かす水溶液を漬ける事で患部を容易に取り去る事で患者に不安や不快を与える事を少なくする事を課題とします。【解決手段】カルシュームを溶かす人畜に無害の水溶液を使う事で、ドリルを使わず虫歯の患部を治療。又、骨の病気などで患部を摘出する場合にも可能です。近年増えている抗生物質が効かない病原体などの図２−５のカルシュームから成るシェルターをこの水溶液を使用する事で崩し去る事が出来ます。【選択図】  図１
2006051296.tif 000002
【特許請求の範囲】
【請求項１】
図１は人の歯を示します。図１−１〜４は１が虫歯が無い正常な歯を表し２〜４は数字印の個所に大なり小なりの虫歯が出来ています。従来は、これらの個所をドリルなどを用いて削り取る、又はえぐり取るなどの手段を用いて治療を計りました。しかし、この時のドリル音は、患者が気が強い弱いに関わらず決して気持ちが良いとは感じません。そこで、本発明はカルシュームのみに反応する水溶液（ライムライド）を患部へピンセットやスポイトなどで注ぐ事で、極めて短時間に患部の周囲を解かす事が可能です。水溶液の量を一事例として（図１−３は０．１ＣＣ〜０．３ＣＣ。図１−４は０．５ＣＣから１．０ＣＣ。図１−２は０．７ＣＣ〜１．８ＣＣ程度）これらの数値は一事例として算出。患者の患部の進行状態により滴量値は異なります。この治療で最も優れた点は、患者に苦痛を感じさせず、わずかな時間（５秒〜２分程度）で治療が完了。治療の手段としてピンポイント治療が可能です。又、解け方はこの水溶液の量によりますが、極めて少ない量の治療でしたら、患部にデコボコ感を残さずフラットで自然体の治療も可能な発明です。さらに、腕や足などの治療で骨の手術が発生した場合に、骨の表面部の摘出手術ならば、この水溶液を活用した療法が効果的と考えまられす。他に人体の様々な手術に極めて効果を発揮が出来る新らしい治療技術の発明です。
【請求項２】
図２は病原体の拡大イメージ図です。近年、様々な病原体が登場しています。以前は全く恐れる事が無かった結核菌。これが、近年は大変な脅威でリバイバルしています。抗生物質など殆どが無力です。本発明は図２−５の隔壁層（シェルターやバリヤーの事）を意味します。そして、このシェルターの中で細菌たちは保護され状況が揃った時このシェルターを外して、図２−６〜８の細菌群が図２−５のシェルターの中から出て来ます。そして全ての細菌の一部には病原体で図２−５がカルシュームとリンなどの組成から出来た菌が有ります。カルシュームはもともと完全な組成から成り立ち容易に崩す事は困難です。本発明の技術を生かす事でカプセルの中へこの水溶液を充填し、胃で溶けず患部付近まで辿りついたところで、カプセルが溶けて水溶液が中から出る事で患部の病原菌のカルシュームで出来たシェルターを溶かし崩し、従来からの抗生物質や適した薬などを投与する事で患者を病気から救出する為の、従来に無い全く新しい発明です。
【発明の詳細な説明】
【技術分野】
【０００１】虫歯の治療は患部をドリルなどで削り取る手段が主流でした。本発明はカルシュームを溶かす不思議な水溶液を虫歯の患部へ漬ける事で、ドリルなどは一切使う事が無く、極めてわずかな時間で患部を溶かし取る事で患者に不安や不快を与える事が少なく治療が出来る新しい医療の技術分野です。又、骨の病気などにこの新技術を導入する事が出来ます。又、細菌は特定の病原体で菌の周りをカルシュームから成るシェルターで保護され抗生物質の投与効果に繋がらない菌が増えています。このカルシュームの核をこの水溶液が崩す事が出来たら、これらの病気の脅威から患者を救う事が可能な素晴らしい発明の技術分野でも有ります。
【背景技術】
【０００２】近年の虫歯の治療はドリルにて患部を削り取る事で完治して来ました。この発明の背景で、患者がドリルの音を聞く度に不安や不快にかられて来ました。本発明は嫌なドリルの音も無く、カルシュームを溶かす水溶液を漬ける事で、わずかな時間で患部を取り去る極めて新しい虫歯の治療技術です。【０００３】近年の、病気は抗生物質や様々な薬に対して効力が無い場合が増えて来ました。本発明の背景に、これらの中の幾つかの菌に対して効力が期待できます。薬は図２−５のシェルターで防御される事で、一切の効力を無くしますがこの発明は図２−５のカルシュームから成るシェルターを溶かす事で核の防御を取り除き、薬が持ってる本来の力を発揮する技術です。
【非特許文献１】様々な資料を調査致しました。そして特許庁のデーターベースを色々と検索致しましたが、類似性の特許等は見つかりませんでした。
【発明の開示】
【発明が解決しようとする課題】
【０００４】解決しようとする課題に、これまで虫歯の治療で嫌なドリルの音を聞く事も無く、わずかな時間で治療が出来、骨の手術や治療をする時にメスなどを使わず、カルシュームを溶かす水溶液を漬ける事で患部を容易に取り去る事で患者に不安や不快を与える事を少なくする事を課題とします。
【課題を解決するための手段】
【０００５】本発明は、カルシュームを溶かす人畜に無害の水溶液を使う事で、ドリルを使わずに虫歯の患部を治療。又、骨の病気などで患部を摘出する場合にも可能です。更に、近年増えている抗生物質が効かない病原体などの図２−５のカルシュームから成るシェルターをこの水溶液を使用する事で崩し去る事が出来ます。これらを解決する手段として、この発明は様々な治療が可能に成る為、従来に無い新しい治療技術として今後、多いに期待が出来ます。
【発明の効果】
【０００６】従来の治療技術と比較してこの虫歯の治療は、ドリルの嫌な音が無く患者が不安や不快を受ける事が少なく、その他に骨の手術も従来と比較し傷口が極めて綺麗に仕上がる事が可能です。更に、抗生物質などが全く効かない病原体で、図２−５のカルシュームから成るシェルターなどを溶かし崩す事で、治療が困難な難病を減らす事で人命の救済に繋がり、社会的にも効果が期待されます。
【発明を実施するための最良の形態】
【０００７】この発明の最良な形態として、従来の治療技術と比較して、これまでに無い全く新しい治療方法として、虫歯の治療ではドリルなど嫌な音を聞く事が少なくなり、患者は不安と不快から救われます。更に虫歯の治療の後の仕上がりも、これまでに無く綺麗に治療が出来ます。
【実施例１】
【０００８】本発明の実施例１として、虫歯の治療と骨の病気の治療が考えられます。更には、近年増加の殆どの薬が効かない病原体で、図２−５のカルシュームから成るシェルターなどで保護されてる菌を、カルシュームを溶かす水溶液でシェルターを崩す事で、これまで治療が困難だった病気から患者を解放する事が考えられます。
【産業上の利用可能性】
【０００９】一番目に虫歯の治療技術の貢献が考えられ、２番目は骨などの病気の治療に利用の可能性が考えられます。その他に、治療が困難な病原体で、図２−５のカルシュームから成るシェルターなどで保護されてる菌を、カルシュームを溶かす水溶液でシェルターを崩す事で患者の救済、更には医学界で病原体の研究と新しい薬などの開発に大きく貢献が出来ると考えられます。
【図面の簡単な説明】
【００１０】
【図１】本発明の説明図  歯の全体図面で虫歯の説明
【図２】本発明の説明図  病原菌の拡大図面
【符号の説明】
（図１）
１−健康で虫歯の無い歯の部
２−側面の角に虫歯が有る歯の部
３−側面の一部に小さな虫歯が有る歯の部
４−側面の一部にやや大きな虫歯が有る歯の部
（図２）
５−カルシュームとリンから成るシェルターの部
６−病原菌１の部
７−病原菌２の部
８−病原菌３の部
９−病原菌のコロニー．スペースの部
【図１】
2006051296.tif 000003
【図２】
2006051296.tif 000004